(57)【要約】【課題】振動を発生させる機構の配置スペースを小さくすることのできる携帯用機器を提供する。【解決手段】携帯用機器は、ケース１１と、ケース１１内に配置された電池１５と、高分子膜１６とを備える。高分子膜１６は、ケース１１の底壁部１２と電池１５との間に配置されて、その電池１５を底壁部１２に連結する。高分子膜１６は、電圧印加に応じて弾性変形し、電圧印加の停止に応じて元の形状に復元することにより、自身の厚みを変化させる。携帯用機器では、高分子膜１６に対し、周期的に増減する電圧を印加することにより、同高分子膜１６の厚みが変化させられる。これに伴い、電池１５が底壁部１２に対し接近及び離間する方向（図１の上下方向）へ往復動させられ、電池１５と底壁部１２との距離が周期的に変化させられる。【選択図】図１
2015029406.tif 000002
【特許請求の範囲】
【請求項１】
ケースと、
前記ケース内に配置された電池と、
前記ケースの壁部及び前記電池の間に配置されて、前記電池を前記壁部に連結し、電圧印加に応じて弾性変形し、電圧印加の停止に応じて元の形状に復元することにより、自身の厚み及び面方向の長さの少なくとも一方を変化させる高分子膜と
を備え、前記高分子膜に対し、周期的に増減する電圧を印加することにより、前記電池が往復動させられることを特徴とする携帯用機器。
【請求項２】
前記周期的に増減する電圧のサイクルが２０Ｈｚ〜４０Ｈｚの周波数で行なわれる請求項１に記載の携帯用機器。
【請求項３】
前記壁部及び前記電池は、それらの厚み方向を前記高分子膜の厚み方向に合致させた状態で配置され、
前記高分子膜は、その厚み方向についての一方の面において前記壁部に固定され、他方の面において前記電池に固定されている請求項１又は２に記載の携帯用機器。
【請求項４】
前記ケース内には、前記電池を前記壁部側へ押圧する押圧部材がさらに配置されている請求項３に記載の携帯用機器。
【請求項５】
前記高分子膜は、前記電池を前記ケースの前記壁部に対し吊下げた状態で連結するものである請求項１又は２に記載の携帯用機器。
【請求項６】
前記高分子膜は、弾性を有する絶縁性高分子材料により形成された誘電体層と、弾性を有する導電性高分子材料により形成されて前記誘電体層を両側から挟む一対の電極とを備え、前記一対の電極間への電圧印加に応じ、前記誘電体層をその面に沿う方向へ伸長させ、前記電圧印加の停止に応じ、前記誘電体層を収縮させて元の形状に復元させるものである請求項１〜５のいずれか１項に記載の携帯用機器。
【発明の詳細な説明】
【技術分野】
【０００１】
本発明は、振動を発生させる機構を有する携帯用機器に関するものである。
【背景技術】
【０００２】
携帯用電話機等の携帯用機器には、着信やアラーム（設定時刻）等を報知するために、振動を発生させる機構であるバイブレータが備えられているものが多い。バイブレータとしては、例えば、特許文献１に記載されているように、モータの回転軸に、錘を偏心させた状態で固定したものが一般的である。この携帯用機器では、モータの回転軸が回転されると、重心の偏った錘が回転し、振動を発生する。この振動が伝わって携帯用機器の全体が振動する。
【先行技術文献】
【特許文献】
【０００３】
【特許文献１】特開２０１３−６２７４７号公報
【発明の概要】
【発明が解決しようとする課題】
【０００４】
ところが、特許文献１を含め、上記従来の携帯用機器では、モータを配置するためのスペースの占める割合が、非携帯用の機器に比べ大きい。そのため、振動を発生させる機構をコンパクトにし、同機構の配置スペースを小さくすること、すなわち省スペース化を図ることが望まれている。
【０００５】
本発明は、このような実情に鑑みてなされたものであって、その目的は、振動を発生させる機構の配置スペースを小さくすることのできる携帯用機器を提供することにある。
【課題を解決するための手段】
【０００６】
上記課題を解決する携帯用機器は、ケースと、前記ケース内に配置された電池と、前記ケースの壁部及び前記電池の間に配置されて、前記電池を前記壁部に連結し、電圧印加に応じて弾性変形し、電圧印加の停止に応じて元の形状に復元することにより、自身の厚み及び面方向の長さの少なくとも一方を変化させる高分子膜とを備え、前記高分子膜に対し、周期的に増減する電圧を印加することにより、前記電池が往復動させられる。
【０００７】
ここで、電池の往復動中に印加する、周期的に増減する電圧は、高電圧状態と低電圧状態との電圧差が、電池の往復動を達成できる程度に大きければよく、減少したときに０ボルトであってもよいし、０ボルトよりも大きくてもよい。
【０００８】
また、高分子膜による電池の壁部に対する連結は、例えば高分子膜を電池及び壁部の両方に固定することによって行なわれてもよいし、電池を挟んで高分子膜とは反対側から電池を高分子膜及び壁部側へ付勢することによって行なわれてもよい。
【０００９】
上記の構成によれば、高分子膜は、電圧が印加されることにより弾性変形し、電圧の印加が停止されることにより元の形状に復元する。高分子膜を介してケースの壁部に連結された電池は、錘として機能し、高分子膜の上記弾性変形に伴い変位する。また、電池は高分子膜の復元に伴い、弾性変形時とは反対方向へ変位する。従って、高分子膜に対し、周期的に増減する電圧を印加することにより、電池が往復動させられる。この電池の往復動が、高分子膜を通じて壁部に伝達されて、ケースの全体が振動する。振動は、手の平等を通じて携帯用機器の利用者に伝達される。
【００１０】
このようにして携帯用機器が振動させられるところ、振動を発生させる機構として、モータに代えて、厚みの薄い高分子膜が用いられている。また、既存の部品である電池が錘として利用されている。そのため、振動を発生させる機構の配置スペースは、錘をモータによって回転させるものに比べて小さくなる。
【００１１】
上記携帯用機器において、前記周期的に増減する電圧のサイクルが２０Ｈｚ〜４０Ｈｚの周波数で行なわれることが好ましい。
上記の構成によれば、高分子膜に印加する電圧のサイクルは、２０Ｈｚ〜４０Ｈｚの周波数で行なわれる。この低い周波数域で電池が往復動して携帯用機器が振動した場合には、人間が振動として感じやすく、音として感じにくい。そのため、高分子膜による電池の往復動を、ケースの振動を通じて携帯用機器の利用者のみに効率よく伝達し、着信、アラーム等を利用者に報知することが可能となる。
【００１２】
上記携帯用機器において、前記壁部及び前記電池は、それらの厚み方向を前記高分子膜の厚み方向に合致させた状態で配置され、前記高分子膜は、その厚み方向についての一方の面において前記壁部に固定され、他方の面において前記電池に固定されていることが好ましい。
【００１３】
上記の構成によれば、高分子膜は、一方の面において壁部に固定され、他方の面において電池に固定されている。そのため、高分子膜は弾性変形したり、元の形状に復元したりすることで、電池を壁部に近づける側へ厚みを減少させたり、電池を壁部から遠ざける側へ厚みを増加させたりする。
【００１４】
ここで、上記携帯用機器では、振動を発生する機構が、壁部、高分子膜及び電池によって構成されるところ、これらは厚み方向を合致させた状態で配置されている。そのため、高分子膜の厚み方向についての同機構のサイズ及び配置スペースが小さくなる。
【００１５】
上記携帯用機器において、前記ケース内には、前記電池を前記壁部側へ押圧する押圧部材がさらに配置されていることが好ましい。
上記の構成によれば、ケース内に配置された押圧部材により、電池が壁部側へ押圧される。そのため、携帯用機器の通常使用時（非振動時）における電池の可動域が制限され、がたつきが抑制される。
【００１６】
上記携帯用機器において、前記高分子膜は、前記電池を前記ケースの前記壁部に対し吊下げた状態で連結するものであることが好ましい。
上記の構成によれば、電池は高分子膜の弾性変形及び復元に伴い、壁部に吊下げられた状態で往復動する。
【００１７】
上記携帯用機器において、前記高分子膜は、弾性を有する絶縁性高分子材料により形成された誘電体層と、弾性を有する導電性高分子材料により形成されて前記誘電体層を両側から挟む一対の電極とを備え、前記一対の電極間への電圧印加に応じ、前記誘電体層をその面に沿う方向へ伸長させ、前記電圧印加の停止に応じ、前記誘電体層を収縮させて元の形状に復元させるものであることが好ましい。
【００１８】
上記の構成によれば、一対の電極間に電圧が印加されると、一方の電極がプラスの電荷を帯び、他方の電極がマイナスの電荷を帯びる。プラスの電荷とマイナスの電荷とが互いに引きつけ合う力であるクーロン力が両電極に作用し、誘電体層が両電極によって厚み方向についての両側から押圧される。この押圧により、誘電体層は自身の面に沿う方向に伸長する。弾性を有する各電極もまた誘電体層に追従して伸長する。また、上記面に沿う方向の伸長に伴い、高分子膜の厚みが減少する。
【００１９】
両電極間への電圧印加が停止されると、各電極に蓄積されていた電荷が放出される。この放出により、各電極の帯びている電荷が少なくなり、上記クーロン力が小さくなる。その結果、誘電体層は、自身の弾性復元力により、同誘電体層の面に沿う方向に収縮する。弾性を有する各電極もまた誘電体層に追従して収縮する。また、上記面に沿う方向の収縮に伴い、高分子膜の厚みが増加する。
【発明の効果】
【００２０】
上記携帯用機器によれば、振動を発生させる機構の配置スペースを小さくすることができる。
【図面の簡単な説明】
【００２１】
【図１】一実施形態における携帯用機器の縦断面図。
【図２】図１中の高分子膜の構造を拡大して示す斜視図。
【図３】押圧部材が設けられた携帯用機器の変形例を示す縦断面図。
【図４】電池が高分子膜によりケースの側壁部に吊下げられた携帯用機器の変形例を示す縦断面図。
【図５】電池が、その周りの複数箇所に設けられた高分子膜によりケースの側壁部に吊下げられた携帯用機器の変形例を示す平断面図。
【図６】電池が、その四隅に設けられた高分子膜により、ケースの角部に吊下げられた携帯用機器の変形例を示す平断面図。
【図７】電池が、その周囲に設けられた環状の高分子膜によりケースの側壁部に吊下げられた携帯用機器の変形例を示す平断面図。
【図８】図７の携帯用機器を模擬し、かつ振動の発生及び測定に用いられる測定装置を、一部が破断された状態で示す部分斜視図。
【発明を実施するための形態】
【００２２】
以下、携帯用機器の一実施形態について、図１及び図２を参照して説明する。
図１に示すように、携帯用機器の外殻部分は、複数の壁部を備えたケース１１によって構成されている。ここでは、複数の壁部は、ケース１１の底部を構成する底壁部１２と、上部を構成する上壁部１３と、側部を構成する側壁部１４とからなる。
【００２３】
ケース１１内には、携帯用機器の主要部をなし、かつ携帯用機器本来の機能、例えば携帯用電話機の場合には、通話機能、通信機能等を発揮する本体部（図示略）と、その本体部に電力を供給する板状の電池１５とが収容されている。電池１５は、自身の厚み方向を、底壁部１２の厚み方向（図１の上下方向）に合致させた状態で配置されている。
【００２４】
ケース１１内であって、底壁部１２と電池１５との間には、高分子材料によって形成されて上下方向に厚みの薄い高分子膜１６が配置されている。表現を変えると、電池１５は、高分子膜１６を介して底壁部１２上に間接的に載置されている。この高分子膜１６の厚みの分、電池１５は底壁部１２から上方へ離れた箇所に位置している。また、電池１５の上面は、上壁部１３から下方へ１０μｍ以上離れた箇所に位置している。これは、高分子膜１６の厚みの変化に伴い、電池１５が上下方向へ往復動したときに、上壁部１３に接触して干渉するのを回避するために必要な条件である。さらに、電池１５は側壁部１４からケース１１の内方へ離れた箇所に位置している。
【００２５】
高分子膜１６としては、誘電方式と呼ばれるものと、イオン方式と呼ばれるものとがあるが、本実施形態では、変位、発生力等の点で優れる誘電方式の高分子膜１６が採用されている。
【００２６】
図２は、誘電方式の高分子膜１６の構成を示している。同図２に示すように、高分子膜１６は、弾性を有する絶縁性高分子材料によって形成された誘電体層１７と、それぞれ弾性を有する導電性高分子材料により形成されて、誘電体層１７をその厚み方向（図２の上下方向）についての両側から挟む一対の電極１８，１９とを備えている。
【００２７】
誘電体層１７は、架橋点の動く高分子ゲル等の高分子化合物、例えばポリロタキサンによって形成されている。このポリロタキサンは、環状分子の開口部が直鎖状分子によって串刺し状に包接されてなる擬ポリロタキサンの両末端（直鎖状分子の両末端）に、環状分子が遊離しないように封鎖基を配置してなるものである。環状分子としては、例えばα−シクロデキストリンが用いられ、直鎖状分子としては、例えばポリエチレングリコールが用いられる。これに対し、両電極１８，１９は、汎用ゴム等、例えばカーボンの添加されたシリコーンゴムによって形成されている。一方の電極１８は電池１５のプラス極に接続され、他方の電極１９はスイッチ２１を介し電池１５のマイナス極に接続されている。スイッチ２１の開閉は、携帯用機器の上述した本体部によって制御される。
【００２８】
誘電体層１７は、両電極１８，１９間への電圧印加により、自身の面に沿う方向（厚み方向に直交する方向）に伸長する。この伸長に伴い、高分子膜１６の厚みが減少する。また、誘電体層１７は、電圧印加の停止により、上記面に沿う方向に収縮して元の形状に復元する。この収縮に伴い、高分子膜１６の厚みが増加する。
【００２９】
図１に示すように、高分子膜１６は、その厚み方向についての一方の面である下面において底壁部１２に固定され、他方の面である上面において電池１５に固定されている。固定の方法としては、接着、粘着等でもよいし、締結具を用いた締結でもよい。さらに、上記固定は、電池１５を挟んで高分子膜１６とは反対側（図１の上側）から電池１５を高分子膜１６及び底壁部１２側（図１の下側）へ付勢することによって行なわれてもよい。この高分子膜１６により、電池１５が底壁部１２に連結されている。
【００３０】
次に、上記のように構成された本実施形態の携帯用機器の作用について説明する。
この携帯用機器では、スイッチ２１が閉じられると、両電極１８，１９間に電圧が印加される。一方の電極１８がプラスの電荷を帯び、他方の電極１９がマイナスの電荷を帯びる。
【００３１】
ここで、各電極１８，１９に電荷が所定量蓄積されるまでは電流が流れるが、電荷が所定量蓄積されると電流はほとんど流れなくなる。ほとんど流れなくなるというのは、電荷が所定量蓄積された後に放電が少なからず生ずるため、その放電により減少した電荷を補うための電流は流れるという意味である。そのため、高分子膜１６の伸縮動作のために消費される電力は少なくてすむ。
【００３２】
両電極１８，１９が上記のように電荷を帯びると、プラスの電荷とマイナスの電荷とが互いに引きつけ合う力であるクーロン力が両電極１８，１９に作用し、誘電体層１７が両側から押圧される。弾性を有する誘電体層１７は上記のように両側から押圧されると、自身の面に沿う方向に伸長する。弾性を有する電極１８，１９は、上記誘電体層１７に追従して伸長する。また、上記伸長に伴い、高分子膜１６の厚みが減少する。
【００３３】
上記の状態からスイッチ２１が開かれると、両電極１８，１９間への電圧印加が停止され、両電極１８，１９に蓄積されていた電荷が放出される。この放出により、両電極１８，１９が帯びている電荷が少なくなり、上記クーロン力が小さくなる。その結果、誘電体層１７は、自身の弾性復元力により、同誘電体層１７の面に沿う方向に収縮する。弾性を有する電極１８，１９は、上記誘電体層１７に追従して収縮する。また、上記収縮に伴い、高分子膜１６の厚みが増加する。
【００３４】
高分子膜１６は、下面において底壁部１２に固定され、上面において電池１５に固定されているため、高分子膜１６は弾性変形する際には、電池１５を底壁部１２に近づける側である下側へ厚みを減少させる。また、高分子膜１６は弾性復元する際には、電池１５を底壁部１２から遠ざける側である上側へ厚みを増加させる。
【００３５】
高分子膜１６を介して底壁部１２に連結された電池１５は、錘として機能し、高分子膜１６の上記弾性変形に伴い、底壁部１２に近づく側である下側へ変位する。また、電池１５は高分子膜１６の復元に伴い、弾性変形時とは反対方向、すなわち、底壁部１２から遠ざかる側である上側へ変位する。従って、高分子膜１６に対する電圧の印加及び印加停止（印加電圧：０ボルト）のサイクルが周期的に行なわれることにより、電池１５が底壁部１２に対し接近及び離間する方向である下方及び上方へ往復動し、電池１５と底壁部１２との距離が周期的に変化させられる。この電池１５の往復動は、高分子膜１６を通じてケース１１に伝達されて、同ケース１１が振動する。振動は、ケース１１を持った手の平を通じて携帯用機器の利用者に伝達される。
【００３６】
本実施形態では、高分子膜１６に対する電圧の印加及び印加停止のサイクルが、２０Ｈｚ〜４０Ｈｚの周波数で行なわれる。この低い周波数域で電池１５が往復動して携帯用機器が振動した場合には、人間が振動として感じやすく、音として感じにくい。そのため、ケース１１の振動は、手の平を通じて携帯用機器の利用者に効率よく伝達される。
【００３７】
本実施形態では、上記のようにして携帯用機器が振動させられるところ、振動を発生させる機構として、モータが用いられていない。また、既存の部品である電池１５が錘として利用されている。しかも、高分子膜１６の厚みは薄い。そのため、振動を発生させる機構の配置スペースは、錘をモータによって回転させるものに比べて小さくなる。
【００３８】
特に、振動を発生させる機構は、底壁部１２、高分子膜１６及び電池１５によって構成されるところ、これらは厚み方向を合致させて重ねた状態で配置されている。そのため、高分子膜１６の厚み方向についての同機構のサイズが一層小さくなる。
【００３９】
以上詳述した本実施形態によれば、次の効果が得られる。
（１）電圧印加に応じて弾性変形し、電圧印加の停止に応じて元の形状に復元することにより、自身の厚み及び面方向の長さをともに変化させる高分子膜１６を、ケース１１の底壁部１２と電池１５との間に配置し、その電池１５を高分子膜１６によって底壁部１２に連結する。そして、電圧の印加及び印加停止のサイクルを周期的に行なうことにより、高分子膜１６に対し、周期的に増減する電圧を印加し、電池１５と底壁部１２との距離を周期的に変化させて、電池１５を底壁部１２の厚み方向へ往復動させるようにしている（図１）。
【００４０】
そのため、錘をモータによって回転させる特許文献１に比べ、振動を発生させる機構の配置スペースを小さくすることができる。
（２）モータで錘を回転させて振動を発生させるためには、所定値以上の速度でモータを回転させる必要があるが、停止しているモータの回転速度を所定値以上にまで上昇させるには少なからず時間がかかり、応答性の点で問題がある。また、振動を停止させるために、回転しているモータの回転速度を所定値よりも低くするまでには、少なからず時間がかかり、やはり応答性の点で問題がある。
【００４１】
この点、高分子膜１６は、電圧を印加することにより直ちに伸長して薄くなり、電圧印加を停止して印加電圧を減少させることにより直ちに収縮して厚くなる。そのため、電池１５を応答性よく往復動させてケース１１を振動させることができる。
【００４２】
（３）高分子膜１６は高分子材料によって形成されていて、金属によって形成されたモータよりも軽量である。そのため、携帯用機器の軽量化を図ることができる。また、電池１５を錘として利用していて、錘を新規に設けていないので、この点も、携帯用機器の軽量化を図るうえで有効である。
【００４３】
（４）周期的に増減する電圧のサイクルとして、高分子膜１６に対する電圧の印加及び印加停止のサイクルを、２０Ｈｚ〜４０Ｈｚの周波数で行なうようにしている。
そのため、ケース１１の振動を、手の平を通じて携帯用機器の利用者のみに効率よく伝達し、その振動をもって着信やアラームを利用者に報知することができる。
【００４４】
（５）底壁部１２及び電池１５を、それらの厚み方向を高分子膜１６の厚み方向に合致させた状態で配置する。そして、高分子膜１６の下面を底壁部１２に固定し、上面を電池１５に固定している（図１）。
【００４５】
そのため、振動を発生させるための機構における高分子膜１６の厚み方向のサイズ、ひいては配置スペースをより一層小さくすることができる。
（６）高分子膜１６として、弾性を有する絶縁性高分子材料により形成された誘電体層１７と、弾性を有する導電性高分子材料により形成されて誘電体層１７を両側から挟む一対の電極１８，１９とを備えるものを用いている（図２）。
【００４６】
そのため、両電極１８，１９間への電圧印加により、誘電体層１７をその面に沿う方向へ伸長させる一方、電圧印加の停止に応じ、誘電体層１７を前記面に沿う方向へ収縮させて元の形状に復元させることができる。
【００４７】
なお、上記実施形態は、これを以下のように変更した変形例として実施することもできる。
・上述した誘電方式の高分子膜１６に代え、イオン方式の高分子膜が用いられてもよい。
【００４８】
イオン方式の高分子膜は、イオン交換樹脂と電極との接合体からなる。このタイプの高分子膜としては、フッ素系イオン交換樹脂膜の両面に、金、白金等の貴金属によって形成された電極を、無電解メッキにより接合したものが代表的である。この高分子膜では、電極間に数ボルトの電圧が印加されることで、イオン交換樹脂の内部でイオンの移動が起こり、すなわち、陽イオンが陰極側へ移動し、このイオンの移動により、高分子膜の表裏で膨潤に差が生じて、同高分子膜が弾性変形する。電圧印加が停止されると、弾性復元力により高分子膜は元の形状に復元する。これらの弾性変形及び復元により、高分子膜を面に沿う方向へ伸縮させて厚みを変化させることができる。
【００４９】
この場合にも、高分子膜に対し、周期的に増減する電圧を印加することにより、電池を往復動させる。
・誘電方式の高分子膜１６では、誘電体層１７が、ポリロタキサン以外の架橋点の動く高分子化合物によって形成されてもよい。
【００５０】
・電池１５をより大きな変位量で往復動させたい場合には、上記高分子膜１６が積層されて使用されてもよい。この場合、高分子膜全体の厚みを薄くする観点からは、隣り合う誘電体層１７の間に共通の電極１８又は１９が配置されることが好ましい。
【００５１】
・図３に示すように、ケース１１内であって、電池１５の高分子膜１６とは反対側、すなわち、電池１５と上壁部１３との間に、弾性を有する材料によって形成された押圧部材２５が配置されてもよい。押圧部材２５を形成する材料としては、例えば、内部に多数の細かな孔が空いた多孔質の柔らかい物質であるスポンジが適しているが、それ以外の弾性材料が用いられてもよい。
【００５２】
このようにすると、押圧部材２５により、電池１５が底壁部１２側へ押圧（付勢）されるため、携帯用機器の通常使用時（非振動時）における電池１５の上下方向の可動域が制限され、同方向の電池１５のがたつきが抑制される。
【００５３】
また、押圧部材２５の押圧（付勢）によって電池１５が底壁部１２に連結されるため、高分子膜１６と電池１５及び／又はケース１１との固定を省略できる効果もある。
・上記実施形態では、高分子膜１６の下面が底壁部１２に固定され、上面が電池１５に固定されることで、電池１５が高分子膜１６によって底壁部１２に連結された。表現を変えると、電池１５の重量が高分子膜１６を介して底壁部１２によって受け止められる構成が採用された。
【００５４】
これに代え、電池１５を高分子膜１６によって、ケース１１の側壁部１４、上壁部１３等の壁部に対し吊下げた状態で連結する構成が採用されてもよい。図４〜図７はその一例を示している。なお、図４〜図７では、ケース１１内であって、電池１５の奥に、携帯用機器の主要部をなす本体部（図示略）が配置されるものとする。
【００５５】
図４では、支持板２６がケース１１内に配置され、この支持板２６の上に電池１５が載置された状態で固定されている。支持板２６は、ケース１１の側壁部１４と電池１５との間の複数箇所、例えば、電池１５を挟んで相対向する２箇所に配置された高分子膜１６によって同側壁部１４に連結されている。各高分子膜１６は、底壁部１２に近づくほど側壁部１４からケース１１の内方へ遠ざかるように傾斜した状態で配置されている。そして、各高分子膜１６の下端部が支持板２６に固定され、上端部が側壁部１４の上端部に固定されている。なお、支持板２６が用いられず、各高分子膜１６の下端部が電池１５に直接固定されてもよい。
【００５６】
図５は、上記図４に類似した携帯用機器の変形例を示している。この変形例では、高分子膜１６が電池１５の側面とケース１１の側壁部１４との間の複数箇所に配置されており、電池１５がこれらの高分子膜１６によって側壁部１４に連結されている。各高分子膜１６の一方の端部は、電池１５の側面に固定され、他方の端部は、同側面に対向する側壁部１４に固定されている。
【００５７】
なお、高分子膜１６は、上記の箇所に代え、又は加え、電池１５の他の側面と、同側面に対向する側壁部１４との間、例えば、図５中、二点鎖線で示す箇所に配置されてもよい。
【００５８】
図６では、高分子膜１６が電池１５の角部と、ケース１１の角部、すなわち隣り合う側壁部１４の境界部分との間の複数箇所に配置されており、電池１５がこれらの高分子膜１６によってケース１１の角部に連結されている。各高分子膜１６の一方の端部は電池１５の角部に固定され、他方の端部はケース１１の角部に固定されている。
【００５９】
図７では、電池１５が、その周囲に配置された略四角環状の高分子膜１６によってケース１１の側壁部１４に連結されている。高分子膜１６の内縁部は電池１５の全ての側面に固定され、外縁部は全ての側壁部１４に固定されている。
【００６０】
図４〜図７のいずれの変形例でも、電池１５は高分子膜１６を介して側壁部１４等の壁部に対し吊下げられた状態となっており、高分子膜１６の弾性変形及び復元に伴い、壁部に吊下げられた状態で往復動する。往復動の方向としては、高分子膜１６の厚み方向のほか、高分子膜１６の面に沿う方向がある。例えば、図４〜図６の変形例では、周期的に増減する電圧を印加するタイミング、例えば、電圧の印加及び印加停止のタイミングを高分子膜１６毎に適切に設定することで、高分子膜１６を、これが連結された壁部に対し接近及び離間する方向（面に沿う方向）へ往復動させることが可能である。また、図７の変形例では、電池１５を、高分子膜１６の厚み方向である上下方向へ往復動させることが可能である。そのため、これらの変形例でも上記実施形態と同様の作用及び効果が得られる。
【００６１】
ちなみに、上記図７の携帯用機器を模擬した測定装置を作成し、この測定装置によって錘を往復動させ、錘の変位量を測定した。図８に測定装置３１の概略構成を示す。図８では、測定装置３１の一部が破断された状態で図示されている。測定装置３１は、上端が開放された略直方体状をなすケース本体３２と、ケース本体３２上に配置された蓋部３３とを備えている。蓋部３３としては、縦方向の寸法Ｌ１が１００ｍｍであり、横方向の寸法Ｌ２が５０ｍｍであるものが用いられている。蓋部３３には、４０ｍｍの直径Ｄ１を有する円形の孔３４があけられており、この孔３４に円板状の高分子膜３５が張られている。高分子膜３５としては、誘電体層が、ポリロタキサンによって３３μｍの厚みに形成され、かつ各電極が、カーボンの添加された導電性シリコーンゴムによって３３μｍの厚みに形成されたものが用いられている。ポリロタキサンとしては、環状分子としてのα−シクロデキストリンの開口部が、直鎖状分子としてのポリエチレングリコールによって串刺し状に包接されてなる擬ポリロタキサンの両末端（直鎖状分子の両末端）に、環状分子が遊離しないように封鎖基を配置してなるものが用いられている。高分子膜３５の中央部には約３０ｇの重量を有する錘３６が配置され、両面テープによって高分子膜３５に固定されている。この携帯用機器では、蓋部３３、高分子膜３５、錘３６が図７での側壁部１４、高分子膜１６、電池１５に相当する。
【００６２】
そして、高分子膜３５の両電極に対し、５００Ｖの電圧の印加及び印加停止のサイクルを２５Ｈｚの周波数で周期的に行なって錘３６を上下方向へ往復動させ、その際の錘３６の変位量をレーザ変位計によって測定した。その結果、２５Ｈｚの周波数、３７μｍの平均変位量で錘３６が変位していることが測定された。また、測定装置３１を手の平の上に置いて、錘３６を上記のように上下方向へ往復動させたところ、手の平のうちケース本体３２及び蓋部３３に接している箇所で振動を感ずることができた。
【００６３】
・図１中の高分子膜１６は、電池１５とケース１１において底壁部１２とは異なる壁部、すなわち、上壁部１３又は側壁部１４との間に配置されて、電池１５を上壁部１３又は側壁部１４に連結するものであってもよい。
【００６４】
・高分子膜１６として、電圧印加に応じて弾性変形し、電圧印加の停止に応じて元の形状に復元することにより、自身の厚み及び面方向の長さの一方のみを変化させるものが用いられてもよい。
【００６５】
・また、電池１５の往復動中に印加する、周期的に増減する電圧は、高電圧状態と低電圧状態との電圧差が、電池１５の往復動を達成できる程度に大きければよく、必ずしも印加停止（印加電圧：０ボルト）とする必要はない。
【００６６】
・上記携帯用機器は、振動を発生させる機構を有する携帯用機器、例えば、携帯用電話機、ＰＨＳ、ＰＤＡ（携帯情報端末）、タブレット型ＰＣ、携帯用ゲーム機、ゲーム機のコントローラ等の携帯用機器に広く適用可能である。
【符号の説明】
【００６７】
１１…ケース、１２…底壁部（壁部）、１３…上壁部（壁部）、１４…側壁部（壁部）、１５…電池、１６…高分子膜、１７…誘電体層、１８，１９…電極、２５…押圧部材。
【図１】
2015029406.tif 000003
【図２】
2015029406.tif 000004
【図３】
2015029406.tif 000005
【図４】
2015029406.tif 000006
【図５】
2015029406.tif 000007
【図６】
2015029406.tif 000008
【図７】
2015029406.tif 000009
【図８】
2015029406.tif 000010